(57)【要約】【課題】  複数種類のスクリーン処理を選択可能にする場合に、階調を補正する特性を予め設定しないスクリーン処理に対しても、階調特性を補正する。【解決手段】  基本閾値パラメータ記憶部５０は、複数のスクリーン線数の基本閾値パラメータを記憶している。基本ＬＵＴ記憶部５２は、複数の基本閾値パラメータに対応する階調補正特性をそれぞれルックアップデーブルとして記憶する。階調補正特性特定部５４は、入力されるスクリーニング条件信号に応じて階調補正特性を特定する。階調補正部５６は、入力される画像信号の階調を、階調補正特性特定部５４から受入れる階調補正特性に応じて補正し、スクリーン処理部５８に対して出力する。スクリーン処理部５８は、入力されるスクリーニング条件信号に応じて基本閾値パラメータを受け入れ、階調補正部５６から入力される階調補正された画像信号に対してスクリーン処理を行う。【選択図】          図３
2007036347.tif 000002
【特許請求の範囲】
【請求項１】
画像をスクリーン処理するスクリーン処理手段と、スクリーニング条件に対応する階調補正特性を１つ以上記憶する記憶手段と、この記憶手段が記憶する階調補正特性に対応しないスクリーニング条件に対し、階調補正特性を特定する階調補正特性特定手段と、前記記憶手段が記憶する階調補正特性に対応しないスクリーニング条件で前記スクリーン処理手段がスクリーン処理する場合、前記階調補正特性特定手段が特定した階調補正特性に基づいて、画像の階調特性を補正する階調補正手段とを有することを特徴とする画像処理システム。
【請求項２】
前記記憶手段が記憶する階調補正特性に対応するスクリーニング条件で前記スクリーン処理手段がスクリーン処理する場合、前記階調補正手段は、前記記憶手段が記憶する階調補正特性に基づいて画像の階調特性を補正することを特徴とする請求項１記載の画像処理システム。
【請求項３】
スクリーニング条件は、スクリーン線数及びスクリーン角度が設定されていることを特徴とする請求項１又は２記載の画像処理システム。
【請求項４】
前記階調補正特性特定手段は、前記記憶手段が記憶する階調補正特性に対応しないスクリーニング条件に対し、前記記憶手段が記憶する階調補正特性の中でスクリーニング条件が最も近い階調補正特性を対応づけることにより、階調補正特性を特定することを特徴とする請求項１乃至３いずれか記載の画像処理システム。
【請求項５】
前記階調補正特性特定手段は、前記記憶手段が記憶する階調補正特性に対応しないスクリーニング条件に対して、前記記憶手段が記憶する階調補正特性から新たに階調補正特性を生成することにより、階調補正特性を特定することを特徴とする請求項３記載の画像処理システム。
【請求項６】
前記記憶手段が複数の階調補正特性を記憶している場合、前記階調補正特性特定手段は、前記記憶手段が記憶する階調補正特性に対応しないスクリーニング条件に対して、前記記憶手段が記憶する複数の階調補正特性から補間することによって対応する階調補正特性を生成することにより、階調補正特性を特定することを特徴とする請求項５記載の画像処理システム。
【請求項７】
前記スクリーン処理手段のディザパターンの方向性、及び前記階調補正特性特定手段が特定した階調補正特性に対応するスクリーン角度に応じて、前記階調補正特性特定手段が特定した階調補正特性を補正する特性補正手段をさらに有し、前記階調補正手段は、前記特性補正手段が補正した階調補正特性に基づいて画像の階調特性を補正することを特徴とする請求項５又は６記載の画像処理システム。
【請求項８】
記憶手段が階調補正特性に対応させて記憶しているスクリーニング条件とは異なるスクリーニング条件に対して階調補正特性を特定し、特定した階調補正特性に基づいて画像の階調特性を補正し、階調特性を補正した画像をスクリーン処理することを特徴とする画像処理方法。
【請求項９】
記憶手段が階調補正特性に対応させて記憶しているスクリーニング条件とは異なるスクリーニング条件に対して階調補正特性を特定するステップと、特定した階調補正特性に基づいて画像の階調特性を補正するステップと、階調特性を補正した画像をスクリーン処理するステップとをコンピュータに実行させるプログラム。
【発明の詳細な説明】
【技術分野】
【０００１】
本発明は、階調を補正してスクリーン処理を行う画像処理システム、画像処理方法及びそのプログラムに関するものである。
【背景技術】
【０００２】
複数種類の網点パターンによって画像を表現することができる画像処理装置が知られている。一般に、画像に対して網点パターンが異なると、表現される画像の階調特性も異なる。そこで、網点パターンごとに階調特性を補正するために、予め記憶された複数種類の網点（又はドット）パターンの階調特性を補正するためのルックアップテーブルを予めそれぞれ設定しておくことは公知である（特許文献１参照）。
【０００３】
【特許文献１】特開平７−３３３８２２号公報
【発明の開示】
【発明が解決しようとする課題】
【０００４】
しかしながら、上記従来例においては、網点パターンによる階調を予め設定された特性により補正することしかできず、選択され得る全ての網点パターンに対応する階調を補正するためのルックアップテーブルをそれぞれ予め作成しなければならないという問題があった。
【０００５】
そこで、本発明は、複数種類のスクリーン処理を選択可能にする場合に、階調を補正する特性を予め設定しないスクリーン処理に対しても、階調特性を補正することができる画像処理システム、画像処理方法及びそのプログラムを提供することを目的とする。
【課題を解決するための手段】
【０００６】
上記目的を達成するため、本発明の第１の特徴とするところは、画像をスクリーン処理するスクリーン処理手段と、スクリーニング条件に対応する階調補正特性を１つ以上記憶する記憶手段と、この記憶手段が記憶する階調補正特性に対応しないスクリーニング条件に対し、階調補正特性を特定する階調補正特性特定手段と、前記記憶手段が記憶する階調補正特性に対応しないスクリーニング条件で前記スクリーン処理手段がスクリーン処理する場合、前記階調補正特性特定手段が特定した階調補正特性に基づいて、画像の階調特性を補正する階調補正手段とを有する画像処理システムにある。即ち、記憶手段が記憶する階調補正特性に対応しないスクリーニング条件に対し、スクリーン処理手段がスクリーン処理する画像の階調特性を階調補正特性特定手段が特定した階調補正特性によって補正することができるので、階調を補正する特性を予め設定しないスクリーン処理に対しても、階調特性を補正することができる。
【０００７】
好適には、前記記憶手段が記憶する階調補正特性に対応するスクリーニング条件で前記スクリーン処理手段がスクリーン処理する場合、前記階調補正手段は、前記記憶手段が記憶する階調補正特性に基づいて画像の階調特性を補正する。
【０００８】
また、好適には、スクリーニング条件は、スクリーン線数及びスクリーン角度が設定されている。即ち、スクリーン線数及びスクリーン角度に対応して階調を補正する特性を予め設定しないスクリーン処理に対しても、階調特性を補正することができる。
【０００９】
また、好適には、前記階調補正特性特定手段は、前記記憶手段が記憶する階調補正特性に対応しないスクリーニング条件に対し、前記記憶手段が記憶する階調補正特性の中でスクリーニング条件が最も近い階調補正特性を対応づけることにより、階調補正特性を特定する。
【００１０】
また、好適には、前記階調補正特性特定手段は、前記記憶手段が記憶する階調補正特性に対応しないスクリーニング条件に対して、前記記憶手段が記憶する階調補正特性から新たに階調補正特性を生成することにより、階調補正特性を特定する。
【００１１】
また、好適には、前記記憶手段が複数の階調補正特性を記憶している場合、前記階調補正特性特定手段は、前記記憶手段が記憶する階調補正特性に対応しないスクリーニング条件に対して、前記記憶手段が記憶する複数の階調補正特性から補間することによって対応する階調補正特性を生成することにより、階調補正特性を特定する。
【００１２】
また、好適には、前記スクリーン処理手段のディザパターンの方向性、及び前記階調補正特性特定手段が特定した階調補正特性に対応するスクリーン角度に応じて、前記階調補正特性特定手段が特定した階調補正特性を補正する特性補正手段をさらに有し、前記階調補正手段は、前記特性補正手段が補正した階調補正特性に基づいて画像の階調特性を補正する。したがって、方向性を有するディザパターンによりスクリーン処理する場合に、スクリーン角度に応じて画像の階調特性が変化しても、特性補正手段が補正した階調補正特性に基づいて画像の階調特性を補正することができる。
【００１３】
また、本発明の第２の特徴とするところは、記憶手段が階調補正特性に対応させて記憶しているスクリーニング条件とは異なるスクリーニング条件に対して階調補正特性を特定し、特定した階調補正特性に基づいて画像の階調特性を補正し、階調特性を補正した画像をスクリーン処理する画像処理方法にある。
【００１４】
また、本発明の第３の特徴とするところは、記憶手段が階調補正特性に対応させて記憶しているスクリーニング条件とは異なるスクリーニング条件に対して階調補正特性を特定するステップと、特定した階調補正特性に基づいて画像の階調特性を補正するステップと、階調特性を補正した画像をスクリーン処理するステップとをコンピュータに実行させるプログラムにある。
【発明の効果】
【００１５】
本発明によれば、複数種類のスクリーン処理を選択可能にする場合に、階調を補正する特性を予め設定しないスクリーン処理に対しても、階調特性を補正することができる。
【発明を実施するための最良の形態】
【００１６】
次に本発明の実施形態を図面に基づいて説明する。
図１において、本発明の実施形態に係る画像処理システム１の概要が示されている。画像処理システム１は、印刷装置本体２及び画像処理装置３を含む。印刷装置本体２は、例えば、用紙送り装置、ゼログラフィ装置および定着装置などを含む画像形成装置及びスキャナ装置など（いずれも図示せず）を含む。画像処理装置３は、画像処理装置本体３０、通信装置３２、記憶装置３４及びユーザインターフェイス（ＵＩ）装置３６から構成される。画像処理装置本体３０は、ＲＡＭおよび不揮発性メモリ（いずれも図示せず）などを含むメモリ３０２及びＣＰＵ３０４などを含む。
【００１７】
画像処理装置３の画像処理装置本体３０及び通信装置３２は、実際には、印刷装置本体２の内部に配置され、例えばタッチパネルからなるＵＩ装置３６は、印刷装置本体２の表面に取り付けられる。つまり、画像処理システム１は、例えば、高品位・高精細なカラー印刷、及びネットワークを介した印刷が可能な、いわゆる印刷システム複合機としての構成部分を含んでいる。
なお、画像処理装置本体３０は、通信装置３２を介して外部のサーバ（図示せず）に配置してもよい。
【００１８】
図２において、ＵＩ装置３６に表示される選択画面４が例示されている。画像処理システム１は、ユーザが選択画面４を介して所定のスクリーン処理（スクリーニング）条件を設定することができるようにされている。選択画面４は、例えば、スクリーン線数選択部４０、スクリーン角度選択部４２及びディザパターン（形状）選択部４４を有し、印刷装置本体２が印刷する画像のスクリーン線数、スクリーン角度及びディザパターンなどのパラメータ（基本閾値パラメータ）を有するスクリーニング条件を、Ｋ（黒），Ｃ（シアン），Ｍ（マゼンタ），Ｙ（イエロー）それぞれに対してユーザが選択することができるようにされている。
【００１９】
図３において、図２に示した選択画面４を介して選択されたスクリーニング条件に応じて、画像処理装置本体３０により実行される画像処理プログラム５の構成が示されている。図３に示すように、画像処理プログラム５は、基本閾値パラメータ記憶部５０、基本ルックアップテーブル（ＬＵＴ）記憶部５２、階調補正特性特定部５４、階調補正部５６及びスクリーン処理部５８から構成される。
画像処理プログラム５は、記録媒体３４０（図１）などにより記憶装置３４を介して画像処理装置本体３０に供給され、メモリ３０２にロードされて実行され、これらの構成部分により、本発明にかかる画像処理を実現する。
【００２０】
基本閾値パラメータ記憶部５０は、例えば網点によって階調を表すために用いる二次元に配列された８ビット（０〜２５５）の閾値を予め複数種類記憶する。例えば基本閾値パラメータ記憶部５０は、スクリーン角度が０度に設定され、スクリーン線数が１００線、１５０線、２００線、２５０線及び３００線である５種類の閾値（基本閾値パラメータを構成する）を記憶している。つまり、基本閾値パラメータ記憶部５０は、スクリーン角度が０度に設定された複数のディザパターン（図５参照）を記憶している。
【００２１】
基本ＬＵＴ記憶部５２は、基本閾値パラメータを用いて後述するスクリーン処理部５８がスクリーン処理を行った場合に生じる階調特性の変化を補正するための階調補正特性を予め記憶する。例えば基本ＬＵＴ記憶部５２は、基本閾値パラメータ記憶部５０が記憶する上述した５種類の基本閾値パラメータに対応する階調補正特性をそれぞれルックアップデーブル（ＬＵＴ）として記憶する。つまり、基本ＬＵＴ記憶部５２は、スクリーン角度が０度に設定され、スクリーン線数が１００線、１５０線、２００線、２５０線及び３００線である５種類の基本閾値パラメータに対応する階調補正特性として、１００線用ＬＵＴ、１５０線用ＬＵＴ、２００線用ＬＵＴ、２５０線用ＬＵＴ、及び３００線用ＬＵＴを記憶している。
【００２２】
階調補正特性特定部５４は、特性生成部５４２及び特性補正部５４４を含み、入力されるスクリーニング条件信号に応じて階調補正特性を特定し、階調補正部５６に対して出力する。ここで、階調補正特性特定部５４は、入力されるスクリーニング条件信号が示すスクリーン線数と、基本ＬＵＴ記憶部５２が階調補正特性として記憶しているＬＵＴのスクリーン線数とが同じ場合には、スクリーニング条件信号が示すスクリーン線数に対応するスクリーン線数用のＬＵＴを選択することにより、入力されるスクリーニング条件信号に対応する階調補正特性として特定し、階調補正部５６に対して出力する。
【００２３】
また、階調補正特性特定部５４は、入力されるスクリーニング条件信号が示すスクリーン線数と、基本ＬＵＴ記憶部５２が階調補正特性として記憶しているＬＵＴのスクリーン線数とが一致しない場合には、スクリーニング条件信号が示すスクリーン線数に対応するスクリーン線数用のＬＵＴを生成することにより、入力されるスクリーニング条件信号に対応する階調補正特性として特定し、階調補正部５６に対して出力する。
【００２４】
図４は、特性生成部５４２が生成する階調補正特性を例示するグラフである。なお、図４においては、基本ＬＵＴ記憶部５２がＬＵＴとして記憶している階調補正特性もグラフにより示されている。
例えばＵＩ装置３６から入力されたスクリーニング条件信号が示すスクリーン線数が１７５線である場合、特性生成部５４２は、基本ＬＵＴ記憶部５２が記憶している複数のＬＵＴの中から、スクリーン線数が１７５線に近い１５０線用ＬＵＴ及び２００線用ＬＵＴを選択し、補間することによってスクリーン線数が１７５線である場合に対応する階調補正特性を算出（生成）する。ここで、特性生成部５４２は、スクリーニング条件信号が示すスクリーン線数（１７５線）に対する２００線用ＬＵＴ及び１５０線用ＬＵＴそれぞれの線数の差（差の絶対値）の比（ａ：ｂ）に応じて、２００線用ＬＵＴ及び１５０線用ＬＵＴの出力値の差を分割することにより、スクリーン線数が１７５線である場合に対応する階調補正特性を生成する。図４に示したように、入力されたスクリーニング条件信号が示すスクリーン線数が１７５線である場合には、出力値の分割比（ａ：ｂ）は、１：１になる。
【００２５】
また、階調補正特性特定部５４は、方向性を有するディザパターンが選択されていることがスクリーニング条件信号により示されている場合、スクリーニング条件信号が示すスクリーン角度に応じて、特性補正部５４４が階調補正特性をさらに補正するようにされている。例えば基本閾値パラメータ記憶部５０が記憶している複数のディザパターンから、図５（Ａ）に示したディザパターンが選択されている場合には、網点（ラウンドドット）に方向性がないので、スクリーニング条件信号が示すスクリーン角度が０度でない場合にも、特性補正部５４４は、階調補正特性を補正しない。一方、基本閾値パラメータ記憶部５０が記憶している複数のディザパターンから、図５（Ｂ）に示したディザパターンが選択されている場合には、網点（ライン形状）に方向性があるので、スクリーニング条件信号が示すスクリーン角度が０度でない場合、特性補正部５４４は階調補正特性をさらに補正する。
【００２６】
図６は、図５（Ｂ）に示されたライン形状の網点となるディザパターンが選択された場合の網点の回転例である。図６（Ａ）に示すように、主走査方向に対してスクリーン角度が０度である場合、主走査方向に連続する画素が所定の濃度に応じてオンになる。図６（Ａ）に示した例と同じ濃度の入力信号に対してスクリーン処理を行う場合にも、スクリーン角度のみが１５度に変更されると、図６（Ｂ）に示すように、主走査方向に連続してオンする画素数が少なくなる。同様に、スクリーン角度のみが４５度に変更されると、図６（Ｃ）に示すように、主走査方向に連続してオンする画素数がさらに少なくなる。このように、網点が方向性を有する場合、スクリーン角度（回転角度）が大きくなると、主走査方向に連続してオンする画素数が変化し、入力濃度が同じであっても印刷される濃度（出力濃度）が変化する。
【００２７】
図７（Ａ）に示すように、例えばハーフトーンセル幅Ｌに対して濃度値がＮ（Ｎは０〜２５５）であり、スクリーン角度が０度であるライン形状の網点を、基本閾値パラメータ記憶部５０が基本閾値パラメータのディザパターンとして記憶している場合、図７（Ｂ）に示すように、スクリーン角度がθ度に設定される（ハーフトーンセルがθ度回転する）と、主走査方向の連続オン画素幅は、下式１のように表される。
【００２８】
【数１】
2007036347.tif 000003
【００２９】
また、ハーフトーンセルが回転して主走査方向の連続オン画素幅が小さくなると、印刷装置本体２内で潜像を形成する露光が安定せず、露光パワーが低下する。特性補正部５４４は、印刷装置本体２内で潜像を形成する露光パワーが確保される主走査方向の連続オン画素幅の最小値をＰ（Ｐの値は印刷装置本体２の特性に応じて設定される）とし、下式２を満たす濃度値Ｎを求めることにより、ハーフトーンセルが回転することによって出力濃度が低下する領域（濃度範囲）を求める。
【００３０】
【数２】
2007036347.tif 000004
【００３１】
そして、特性補正部５４４は、上式２を用いて求めた出力濃度が低下する領域（濃度範囲）に対し、階調補正特性をさらに補正した階調補正特性を生成する。
【００３２】
図８は、方向性を有するディザパターンに対応して基本ＬＵＴ記憶部５２が記憶している階調補正特性に対し、特性補正部５４４がさらに補正した階調補正特性を示すグラフである。方向性を有するディザパターンのハーフトーンセルがθ度回転し（スクリーン角度がθ度になり）、且つ、入力信号が示す濃度値がＮ未満の場合、上述したように、印刷装置本体２内で潜像を形成する露光パワーが低下するために出力濃度が低下する。そこで、特性補正部５４４は、図８に示すように、基本ＬＵＴ記憶部５２が記憶している階調補正特性に対し、入力信号が示す濃度値がＮ未満の領域の出力信号（濃度値）が滑らかに大きくなるように補正を行う。
【００３３】
なお、階調補正特性特定部５４は、入力されるスクリーニング条件信号が示すスクリーン線数と、基本ＬＵＴ記憶部５２が階調補正特性として記憶しているＬＵＴのスクリーン線数とが一致しない場合に、スクリーニング条件信号が示すスクリーニング条件に対して、基本ＬＵＴ記憶部５２が記憶しているＬＵＴの中でスクリーニング条件が最も近い階調補正特性を選択することにより、スクリーニング条件信号に対応する階調補正特性とみなして特定し、階調補正部５６に対して出力するようにされてもよい。
【００３４】
階調補正部５６（図３）は、入力される画像信号の階調を、階調補正特性特定部５４から受入れる階調補正特性に応じて補正し、スクリーン処理部５８に対して出力する。
スクリーン処理部５８は、入力されるスクリーニング条件信号に応じて、基本閾値パラメータ記憶部５０からスクリーニング条件に対応する基本閾値パラメータを受け入れ、階調補正部５６から入力される階調補正された画像信号に対してスクリーン処理を行い、印刷装置本体２に対して出力する。
【００３５】
次に、画像処理システム１がスクリーニング条件に応じて画像を印刷する処理について説明する。
図９は、画像処理システム１がスクリーニング条件に応じて画像を印刷する処理（Ｓ１０）を示すフローチャートである。
図９に示すように、ステップ１００（Ｓ１００）において、画像処理装置本体３０は、ＵＩ装置３６を介してスクリーニング条件を取得する。
【００３６】
ステップ１０２（Ｓ１０２）において、階調補正特性特定部５４は、入力されるスクリーニング条件信号が示すスクリーン線数と、基本ＬＵＴ記憶部５２が階調補正特性として記憶しているＬＵＴのスクリーン線数とが同じか否かを判定し、同じ場合にはＳ１０４の処理に進み、異なる場合にはＳ１０６の処理に進む。
【００３７】
ステップ１０４（Ｓ１０４）において、階調補正特性特定部５４は、スクリーニング条件信号が示すスクリーン線数に対応するスクリーン線数用のＬＵＴを基本ＬＵＴ記憶部５２が記憶しているＬＵＴから選択し、入力されるスクリーニング条件信号に対応する階調補正特性として特定する。
【００３８】
ステップ１０６（Ｓ１０６）において、階調補正特性特定部５４は、スクリーニング条件信号が示すスクリーン線数に対応するスクリーン線数用のＬＵＴを生成し、入力されるスクリーニング条件信号に対応する階調補正特性として特定する。
【００３９】
ステップ１０８（Ｓ１０８）において、階調補正特性特定部５４は、入力されるスクリーニング条件信号が示すスクリーン角度が０度であるか否かを判定し、スクリーン角度が０度である場合にはＳ１１４の処理に進み、スクリーン角度が０度でない場合にはＳ１１０の処理に進む。
【００４０】
ステップ１１０（Ｓ１１０）において、階調補正特性特定部５４は、入力されるスクリーニング条件信号により選択されているディザパターンに方向性があるか否かを判定し、ディザパターンに方向性がある場合にはＳ１１２の処理に進み、ディザパターンに方向性がない場合にはＳ１１４の処理に進む。
【００４１】
ステップ１１２（Ｓ１１２）において、特性補正部５４４は、Ｓ１０４又はＳ１０６の処理において特定された階調補正特性をさらに補正し、階調補正部５６に対して出力する。
【００４２】
ステップ１１４（Ｓ１１４）において、階調補正部５６は、特定された階調補正特性、又はさらに補正された階調補正特性に応じて、例えば通信装置３２又は記憶装置３４から入力される画像信号（画像）の階調特性を補正し、スクリーン処理部５８に対して出力する。
【００４３】
ステップ１１６（Ｓ１１６）において、スクリーン処理部５８は、入力されるスクリーニング条件信号に応じて、基本閾値パラメータ記憶部５０からスクリーニング条件に対応する基本閾値パラメータを受け入れ、階調補正部５６から入力される階調補正された画像信号に対してスクリーン処理を行い、印刷装置本体２に対して出力する。
【００４４】
ステップ１１８（Ｓ１１８）において、印刷装置本体２は、画像処理プログラム５によって階調補正され、スクリーン処理された画像を印刷する。
【００４５】
このように、画像処理システム１は、基本ＬＵＴ記憶部５２が記憶する階調補正特性に対応しないスクリーニング条件に対し、スクリーン処理部５８がスクリーン処理する画像の階調特性を階調補正特性特定部５４が特定した階調補正特性によって補正することができるので、階調を補正する特性を予め設定しないスクリーン処理に対しても、階調特性を補正することができる。
【図面の簡単な説明】
【００４６】
【図１】本発明の実施形態に係る画像処理システムの概要を示す構成図である。
【図２】ＵＩ装置に表示される選択画面例である。
【図３】図２に示した選択画面を介して選択されたスクリーニング条件に応じて、画像処理装置本体により実行される画像処理プログラムの構成を示すプログラム構成図である。
【図４】特性生成部が生成する階調補正特性を例示するグラフである。
【図５】基本閾値パラメータ記憶部が記憶しているディザパターン例であって、（Ａ）は網点に方向性がないディザパターン例であり、（Ｂ）は網点に方向性があるディザパターン例である。
【図６】図５（Ｂ）に示されたライン形状の網点となるディザパターンが選択された場合の網点の回転例である。
【図７】ハーフトーンセルにおける主走査方向の連続オン画素幅を示す図であって、（Ａ）はスクリーン角度が０度の場合のハーフトーンセルであり、（Ｂ）はスクリーン角度がθ度の場合のハーフトーンセルである。
【図８】方向性を有するディザパターンに対応する基本ＬＵＴ記憶部が記憶している階調補正特性に対し、特性補正部がさらに補正した階調補正特性を示すグラフである。
【図９】画像処理システムがスクリーニング条件に応じて画像を印刷する処理（Ｓ１０）を示すフローチャートである。
【符号の説明】
【００４７】
１・・・画像処理システム
２・・・印刷装置本体
３・・・画像処理装置
３０・・・画像処理装置本体
３０２・・・メモリ
３０４・・・ＣＰＵ
３２・・・通信装置
３４・・・記憶装置
３６・・・ＵＩ装置
４・・・選択画面
４０・・・スクリーン線数選択部
４２・・・スクリーン角度選択部
４４・・・ディザパターン（形状）選択部
５・・・画像処理プログラム
５０・・・基本閾値パラメータ記憶部
５２・・・基本ＬＵＴ記憶部
５４・・・階調補正特性特定部
５４２・・・特性生成部
５４４・・・特性補正部
５６・・・階調補正部
５８・・・スクリーン処理部
【図１】
2007036347.tif 000005
【図２】
2007036347.tif 000006
【図３】
2007036347.tif 000007
【図４】
2007036347.tif 000008
【図５】
2007036347.tif 000009
【図６】
2007036347.tif 000010
【図７】
2007036347.tif 000011
【図８】
2007036347.tif 000012
【図９】
2007036347.tif 000013